(57)【要約】  【課題】被検査側コネクタ３８の端子３８ａにプローブ５４を当接させる中継コネクターを提供する。  【解決手段】ピンブロック２４に対してフローティングガイド２６を接近分離自在で分離方向に弾性付勢して配設する。フローティングガイド２６に被検査側コネクタ３８をピンブロック２４側に向けて嵌合挿入して位置決めするガイド孔２６ｂを穿設する。ガイド孔２６ｂに嵌合挿入された被検査側コネクタ３８の端子３８ａに臨んで、ピンブロック２４にフローティングガイド２６の接近分離方向を軸方向としてプローブ５４を配設する。ガイド孔２６ｂに被検査側コネクタ３８の嵌合挿入を許容する開口状態とガイド孔２６ｂに嵌合挿入された被検査側コネクタ３８をピンブロック２４側に押圧した押圧状態とに操作される押圧操作部材１４を設ける。【選択図】  図３
2008140770.tif 000002
【特許請求の範囲】
【請求項１】
被検査基板に配設された被検査側コネクタの端子にプローブを当接させて測定器に電気的接続させるための中継コネクターであって、絶縁材からなるピンブロックに対して絶縁材からなるフローティングガイドを接近分離自在でしかも分離方向に弾性付勢して配設し、前記フローティングガイドに前記被検査側コネクタを前記ピンブロック側に向けて嵌合挿入して位置決めするガイド孔を穿設し、このガイド孔に嵌合挿入された前記被検査側コネクタの端子に臨んで前記ピンブロックに前記フローティングガイドの接近分離方向を軸方向としてプローブを配設し、前記フローティングガイドの前記ガイド孔に前記被検査側コネクタの嵌合挿入を許容する開口状態と前記フローティングガイドに嵌合挿入された前記被検査側コネクタを前記ピンブロック側に押圧した押圧状態とに操作される押圧操作部材を設けて構成したことを特徴とする中継コネクター。
【請求項２】
請求項１記載の中継コネクターにおいて、前記押圧操作部材に係合突起を設けるとともに前記フローティングガイドに係合受け部を設け、前記押圧操作部材の開口状態で前記係合突起が前記係合受け部と係合して、前記フローティングガイドが前記ピンブロック側に移動するのを規制するように構成したことを特徴とする中継コネクター。
【請求項３】
請求項１記載の中継コネクターにおいて、前記押圧操作部材を、前記ガイド孔に嵌合挿入された前記被検査側コネクタの前記ピンブロック側に臨む面と平行な面に配設した揺動軸によって前記開口状態と前記押圧状態に揺動自在に配設するとともに、前記被検査側コネクタを押圧する先端側に前記揺動軸と平行な第２の揺動軸で押圧ブロックを揺動自在に配設して構成したことを特徴とする中継コネクター。
【請求項４】
請求項１記載の中継コネクターにおいて、両端に膨大部を有するフローティングピンを、前記フローティングガイドと前記ピンブロックに前記フローティングガイドの接近分離方向に貫通配設して、前記両端の膨大部により前記フローティングガイドが前記ピンブロックから分離方向に移動できる距離を規制し、前記フローティングピンにフロートバネを遊嵌させるとともに前記フローティングガイドと前記ピンブロックの間に縮設して構成したことを特徴とする中継コネクター。
【請求項５】
請求項４記載の中継コネクターにおいて、前記フローティングピンがその一端側に螺合する調整ネジにより前記分離方向に移動できる距離を調整するようにし、前記調整ネジに臨んで前記押圧操作部材に調整用孔を穿設して、外部から前記調整ネジを調整できるように構成したことを特徴とする中継コネクター。
【請求項６】
請求項１記載の中継コネクターにおいて、前記被検査側コネクタを前記ピンブロック側に向けて前記ガイド孔に嵌合挿入する前記フローティングガイドの基板搭載面には、前記被検査基板よりも大きな平面が形成されていて、前記被検査側コネクタを前記ガイド孔に嵌合挿入した状態で前記被検査基板が何ら位置の規制がされないように構成したことを特徴とする中継コネクター。
【請求項７】
請求項２記載の中継コネクターにおいて、揺動自在の前記押圧操作部材を前記開口状態側への揺動を規制する規制部を設け、前記規制部で前記押圧操作部材が規制されている状態で、前記係合突起が前記係合受け部に係合するように構成したことを特徴とする中継コネクター。
【請求項８】
被検査基板に配設された被検査側コネクタの端子にプローブを当接させて測定器に電気的接続させるための中継コネクターであって、絶縁材からなるベース部材に対して絶縁材からなるフローティングガイドを当接分離自在に配設し、前記ベース部材と前記フローティングガイドの間に前記被検査基板を挿入した状態で前記フローティングガイドに前記被検査側コネクタを嵌合挿入して位置決めするガイド孔を穿設し、前記ベース部材に前記フローティングガイドを挟んでしかも前記フローティングガイド側が接近分離自在となるように押圧操作部材を配設し、前記押圧操作部材に前記フローティングガイドに臨んで絶縁材からなるピンブロックを配設し、前記フローティングガイドに前記ピンブロックを当接させた状態で前記ガイド孔に嵌合挿入した前記被検査側コネクタの端子に当接するように前記ピンブロックにプローブを配設し、前記ピンブロックを前記フローティングガイドから分離する方向の前記押圧操作部材の操作に連動して前記フローティングガイドが前記ベース部材から分離するようにし、前記ベース部材と前記フローティングガイドの間に前記被検査基板の挿入を許容する開口状態と前記フローティングガイドの前記ガイド孔に嵌合挿入された前記被検査側コネクタ側に前記ピンブロックを押圧した押圧状態とに前記押圧操作部材を操作するように構成したことを特徴とする中継コネクター。
【請求項９】
請求項８記載の中継コネクターにおいて、前記フローティングガイドの前記ガイド孔に臨んで、前記ベース部材に設けた基板搭載面に、前記被検査基板の挿入側の先端部分の形状を備えた基板位置決め凹部を縁部から設けて、前記基板位置決め凹部により前記被検査基板の挿入寸法および側方へのずれを規制して前記被検査基板を位置決めするように構成したことを特徴とする中継コネクター。
【請求項１０】
請求項８記載の中継コネクターにおいて、前記フローティングガイドが、前記ベース部材に設けられたリニアガイドに案内されて、前記ベース部材の前記基板搭載面に対して垂直方向に当接分離するように構成したことを特徴とする中継コネクター。
【請求項１１】
請求項８記載の中継コネクターにおいて、前記押圧操作部材を前記ベース部材に対して前記フローティングガイド側が接近分離するように揺動自在に配設するとともに、前記押圧操作部材の前記フローティングガイド側が接近する方向に弾性付勢するように前記押圧操作部材と前記ベース部材の間に押圧バネを縮設して構成したことを特徴とする中継コネクター。
【請求項１２】
請求項８記載の中継コネクターにおいて、前記押圧操作部材を前記ベース部材に対して前記フローティングガイド側が接近分離するように揺動自在に配設するとともに、前記ベース部材に対してレバー部材を前記押圧操作部材の揺動軸と平行な揺動軸で揺動自在に配設するとともに、前記レバー部材の一端部を前記フローティングガイドに係合させ、他端部が前記押圧操作部材の操作によって押圧されて、前記押圧操作部材の前記フローティングガイド側が前記ベース部材から分離方向に揺動するのに伴って前記フローティングガイドが前記ベース部材から分離方向に揺動して前記開口状態となるように構成したことを特徴とする中継コネクター。
【請求項１３】
請求項１または８記載の中継コネクターにおいて、前記フローティングガイドに穿設された前記ガイド孔の深さを、前記被検査側コネクタの高さと一致するように構成したことを特徴とする中継コネクター。
【請求項１４】
請求項１または８記載の中継コネクターにおいて、前記フローティングガイドの前記ピンブロック側の面に凹部を設け、前記ピンブロックの前記フローティングガイド側の面に前記凹部に嵌合する凸部を形成して、前記凹部と前記凸部の係合により、前記フローティングガイドと前記ピンブロックを相対的に位置決めするように構成したことを特徴とする中継コネクター。
【請求項１５】
請求項１または８記載の中継コネクターにおいて、前記押圧操作部材の前記フローティングガイド側の先端外側部を、面取り状の斜めの面に形成して構成したことを特徴とする中継コネクター。
【発明の詳細な説明】
【技術分野】
【０００１】
本発明は、検査のために、電子部品等の被検査基板に配設された被検査側コネクタを、測定器等に電気的接続するために用いる中継コネクターに関するものである。
【背景技術】
【０００２】
携帯電話機やデジタルカメラのごとく小型の電子機器にあっては、小さなスペースに多くの電子回路を搭載するために、複数枚の基板が重ねられるように配設され、これらの基板間がそれぞれに配設されたコネクタを介して電気的接続されるものがある。そこで、基板とそれに配設されたコネクタを検査するには、コネクタに測定器等を適宜に電気的接続すれば良い。ここで、被検査基板と被検査側コネクタの全体を検査するためには、被検査側コネクタに対となる治具側のコネクタを嵌合させて測定器に電気的接続することが望ましい。しかるに、被検査側および治具側のいずれのコネクタにあっても、嵌合引き抜き耐久回数は５０回程度と比較的に少ない。そこで、治具側コネクタを検査回数が耐久回数に達する毎に交換しなければならない。この治具側コネクタが治具側基板に半田付けにより固定されていてその治具側基板に測定器等に接続される多数本の配線ケーブルが半田付けされているとすると、治具側コネクタのみを簡単に交換することができない。そこで、治具側コネクタと治具側基板および配線ケーブルの全体を交換せざるを得ない。すると、測定検査のコストが大きくなるという不具合が生ずる。
【０００３】
そこで、本発明の出願人は、既に特開２００４−２７３１９２号公報に示されるごとき技術を提案して、交換する部分を少なくすることで、測定検査のコストを小さなものとした。この先に提案した技術は、被検査側コネクタに対となる治具側コネクタを絶縁中継基板に配設し、この絶縁中継基板を絶縁材からなるプローブユニットに着脱自在に配設する。このプローブユニットには、プローブが配設されている。そして、治具側コネクタの端子が絶縁中継基板に設けられた端子に電気的接続され、この絶縁中継基板の端子にプローブユニットのプローブが当接して電気的接続される。なお、プローブユニットに設けられたプローブの他端は、測定器等に接続される多数本の配線ケーブルに適宜に電気的接続される。もって、被検査側コネクタが、治具側コネクタと絶縁中継基板とプローブおよび配線ケーブルを介して測定器等に電気的接続される。そこで、治具側コネクタの検査使用回数が耐久回数に達すると、この治具側コネクタと絶縁中継基板を交換すれば良く、交換する部分が少ない分だけ、測定検査のコストを少なくできる。
【特許文献１】特開２００４−２７３１９２号公報
【発明の開示】
【発明が解決しようとする課題】
【０００４】
上述の特開２００４−２７３１９２号公報で提案した技術にあっては、治具側コネクタと絶縁中継基板のみを交換すれば良く、従前に比べて、測定検査のコストを少なくできるが、必ずしも十分に満足できるものでない。そこで、発明者らは、被検査側コネクタの端子にプローブを直接に当接させ、治具側コネクタと絶縁中継基板の交換が不要であり、当接させるプローブが破損したらそのプローブのみを交換するようにした構造とすることで、より測定検査のコストを少なくできると考えた。
【０００５】
本発明は、かかる考えに基づいてなされたもので、被検査側コネクタにプローブを当接させる中継コネクターを提供することを目的とする。
【課題を解決するための手段】
【０００６】
かかる目的を達成するために、本発明の中継コネクターは、被検査基板に配設された被検査側コネクタの端子にプローブを当接させて測定器に電気的接続させるための中継コネクターであって、絶縁材からなるピンブロックに対して絶縁材からなるフローティングガイドを接近分離自在でしかも分離方向に弾性付勢して配設し、前記フローティングガイドに前記被検査側コネクタを前記ピンブロック側に向けて嵌合挿入して位置決めするガイド孔を穿設し、このガイド孔に嵌合挿入された前記被検査側コネクタの端子に臨んで前記ピンブロックに前記フローティングガイドの接近分離方向を軸方向としてプローブを配設し、前記フローティングガイドの前記ガイド孔に前記被検査側コネクタの嵌合挿入を許容する開口状態と前記フローティングガイドに嵌合挿入された前記被検査側コネクタを前記ピンブロック側に押圧した押圧状態とに操作される押圧操作部材を設けて構成されている。
【０００７】
そして、前記押圧操作部材に係合突起を設けるとともに前記フローティングガイドに係合受け部を設け、前記押圧操作部材の開口状態で前記係合突起が前記係合受け部と係合して、前記フローティングガイドが前記ピンブロック側に移動するのを規制するように構成しても良い。
【０００８】
また、前記押圧操作部材を、前記ガイド孔に嵌合挿入された前記被検査側コネクタの前記ピンブロック側に臨む面と平行な面に配設した揺動軸によって前記開口状態と前記押圧状態に揺動自在に配設するとともに、前記被検査側コネクタを押圧する先端側に前記揺動軸と平行な第２の揺動軸で押圧ブロックを揺動自在に配設して構成することもできる。
【０００９】
さらに、両端に膨大部を有するフローティングピンを、前記フローティングガイドと前記ピンブロックに前記フローティングガイドの接近分離方向に貫通配設して、前記両端の膨大部により前記フローティングガイドが前記ピンブロックから分離方向に移動できる距離を規制し、前記フローティングピンにフロートバネを遊嵌させるとともに前記フローティングガイドと前記ピンブロックの間に縮設して構成しても良い。
【００１０】
そしてまた、前記フローティングピンがその一端側に螺合する調整ネジにより前記分離方向に移動できる距離を調整するようにし、前記調整ネジに臨んで前記押圧操作部材に調整用孔を穿設して、外部から前記調整ネジを調整できるように構成することも可能である。
【００１１】
そしてさらに、前記被検査側コネクタを前記ピンブロック側に向けて前記ガイド孔に嵌合挿入する前記フローティングガイドの基板搭載面には、前記被検査基板よりも大きな平面が形成されていて、前記被検査側コネクタを前記ガイド孔に嵌合挿入した状態で前記被検査基板が何ら位置の規制がされないように構成しても良い。
【００１２】
またさらに、揺動自在の前記押圧操作部材を前記開口状態側への揺動を規制する規制部を設け、前記規制部で前記押圧操作部材が規制されている状態で、前記係合突起が前記係合受け部に係合するように構成しても良い。
【００１３】
また、本発明の中継コネクターは、被検査基板に配設された被検査側コネクタの端子にプローブを当接させて測定器に電気的接続させるための中継コネクターであって、絶縁材からなるベース部材に対して絶縁材からなるフローティングガイドを当接分離自在に配設し、前記ベース部材と前記フローティングガイドの間に前記被検査基板を挿入した状態で前記フローティングガイドに前記被検査側コネクタを嵌合挿入して位置決めするガイド孔を穿設し、前記ベース部材に前記フローティングガイドを挟んでしかも前記フローティングガイド側が接近分離自在となるように押圧操作部材を配設し、前記押圧操作部材に前記フローティングガイドに臨んで絶縁材からなるピンブロックを配設し、前記フローティングガイドに前記ピンブロックを当接させた状態で前記ガイド孔に嵌合挿入した前記被検査側コネクタの端子に当接するように前記ピンブロックにプローブを配設し、前記ピンブロックを前記フローティングガイドから分離する方向の前記押圧操作部材の操作に連動して前記フローティングガイドが前記ベース部材から分離するようにし、前記ベース部材と前記フローティングガイドの間に前記被検査基板の挿入を許容する開口状態と前記フローティングガイドの前記ガイド孔に嵌合挿入された前記被検査側コネクタ側に前記ピンブロックを押圧した押圧状態とに前記押圧操作部材を操作するように構成しても良い。
【００１４】
そして、前記フローティングガイドの前記ガイド孔に臨んで、前記ベース部材に設けた基板搭載面に、前記被検査基板の挿入側の先端部分の形状を備えた基板位置決め凹部を縁部から設けて、前記基板位置決め凹部により前記被検査基板の挿入寸法および側方へのずれを規制して前記被検査基板を位置決めするように構成することもできる。
【００１５】
また、前記フローティングガイドが、前記ベース部材に設けられたリニアガイドに案内されて、前記ベース部材の前記基板搭載面に対して垂直方向に当接分離するように構成することもできる。
【００１６】
さらに、前記押圧操作部材を前記ベース部材に対して前記フローティングガイド側が接近分離するように揺動自在に配設するとともに、前記押圧操作部材の前記フローティングガイド側が接近する方向に弾性付勢するように前記押圧操作部材と前記ベース部材の間に押圧バネを縮設して構成することもできる。
【００１７】
また、前記押圧操作部材を前記ベース部材に対して前記フローティングガイド側が接近分離するように揺動自在に配設するとともに、前記ベース部材に対してレバー部材を前記押圧操作部材の揺動軸と平行な揺動軸で揺動自在に配設するとともに、前記レバー部材の一端部を前記フローティングガイドに係合させ、他端部が前記押圧操作部材の操作によって押圧されて、前記押圧操作部材の前記フローティングガイド側が前記ベース部材から分離方向に揺動するのに伴って前記フローティングガイドが前記ベース部材から分離方向に揺動して前記開口状態となるように構成することもできる。
【００１８】
そしてさらに、前記フローティングガイドに穿設された前記ガイド孔の深さを、前記被検査側コネクタの高さと一致するように構成することもできる。
【００１９】
そしてさらに、前記フローティングガイドの前記ピンブロック側の面に凹部を設け、前記ピンブロックの前記フローティングガイド側の面に前記凹部に嵌合する凸部を形成して、前記凹部と前記凸部の係合により、前記フローティングガイドと前記ピンブロックを相対的に位置決めするように構成することもできる。
【００２０】
そしてさらに、前記押圧操作部材の前記フローティングガイド側の先端外側部を、面取り状の斜めの面に形成して構成することもできる。
【発明の効果】
【００２１】
請求項１記載の中継コネクターにあっては、押圧操作部材の開口状態で、弾性付勢されてピンブロックから分離しているフローティングガイドのガイド孔に、被検査側コネクタをピンブロック側に向けて嵌合挿入して位置決めし、かかる状態において、押圧操作部材によりフローティングガイドと被検査側コネクタをピンブロック側に押圧した押圧状態に操作するので、被検査側コネクタをガイド孔に嵌合挿入して位置決めする際には、被検査側コネクタが不適切な姿勢でプローブに当接するようなことがなく、プローブに被検査側コネクタが当接した状態で相対的に横にずれるような力が作用することがなく、プローブまたは被検査側コネクタを破損させるようなことがない。
【００２２】
そして、請求項２記載の中継コネクターにあっては、押圧操作部材に係合突起を設けるとともにフローティングガイドに係合受け部を設け、押圧操作部材の開口状態で係合突起と係合受け部が係合するようにして、フローティングガイドがピンブロック側に移動するのを規制するので、フローティングガイドのガイド孔に被検査側コネクタを嵌合挿入させる際に、フローティングガイドにピンブロック側に向けた力が作用してもフローティングガイドが移動せず、正しく位置決めされていない状態の被検査側コネクタがプローブに当接することがなく、プローブまたは被検査側コネクタを破損させるようなことがない。
【００２３】
また、請求項３記載の中継コネクターにあっては、押圧操作部材を揺動軸によって開口状態と押圧状態に揺動自在に配設するので、押圧操作部材を配設する構造が簡単である。しかも、被検査側コネクタを押圧する先端側に揺動軸と平行な第２の揺動軸で押圧ブロックを揺動自在に配設したので、フローティングガイドをピンブロック側に接近方向に正しく押圧することができる。
【００２４】
さらに、請求項４記載の中継コネクターにあっては、両端に膨大部を有するフローティングピンにより、フローティングガイドがピンブロックから分離方向に移動できる距離が規制される。しかも、フロートバネにより分離方向に弾性付勢され、押圧操作部材の開口状態で、フローティングガイドをピンブロックから分離した状態とすることができる。
【００２５】
そしてまた、請求項５記載の中継コネクターにあっては、フローティングピンがその一端側に螺合する調整ネジにより分離方向に移動できる距離を調整するので、フローティングガイドがピンブロックから分離し得る距離を任意に設定できる。しかも、調整ネジに臨んで押圧操作部材に調整用孔を穿設しているので、使用中に、調整ネジが緩んでも外部から簡単に再調整できる。
【００２６】
そしてさらに、請求項６記載の中継コネクターにあっては、被検査側コネクタをピンブロック側に向けてガイド孔に嵌合挿入するフローティングガイドの基板搭載面には、被検査基板よりも大きな平面が形成されていて、被検査側コネクタをガイド孔に嵌合挿入した状態で被検査基板が何ら位置の規制がされないようにしたので、被検査側コネクタが被検査基板に対して位置がずれて実装されていても、被検査側コネクタを被検査基板に対して側方にずらすような力がどこからも作用せず、検査には何ら不具合を生じさせない。
【００２７】
またさらに、請求項７記載の中継コネクターにあっては、揺動自在の押圧操作部材を開口状態側への揺動を規制する規制部を設け、規制部で押圧操作部材が規制されている状態で、係合突起が係合受け部に係合するようにしているので、押圧操作部材が開口状態に規制されると、係合突起が係合受け部に係合して、フローティングガイドがピンブロック側に移動するのが確実に規制される。
【００２８】
また、請求項８記載の中継コネクターにあっては、ベース部材とフローティングガイドの間に被検査基板を挿入した状態で、フローティングガイドに穿設したガイド孔に被検査側コネクタを嵌合挿入して位置決めし、フローティングガイドにピンブロックを当接させて、ガイド孔に嵌合挿入した被検査側コネクタの端子にプローブを当接させるようにしたので、ベース部材が下側に配設されるならば、被検査側コネクタを被検査基板の上側に配設した状態で検査することができる。
【００２９】
そして、請求項９記載の中継コネクターにあっては、フローティングガイドのガイド孔に臨んで、ベース部材の基板搭載面に、被検査基板の挿入側の先端部分の形状を備えた基板位置決め凹部を縁部から設けたので、基板位置決め凹部により被検査基板の挿入寸法および側方へのずれが規制され、被検査基板が位置決めされる。もって、被検査基板に配設された被検査側コネクタが、フローティングガイドに穿設されたガイド孔に対して相対的な位置決めがなされる。
【００３０】
また、請求項１０記載の中継コネクターにあっては、フローティングガイドが、ベース部材に設けられたリニアシャフトに案内されて、ベース部材の前記基板搭載面に対して垂直方向に当接分離するので、フローティングガイドに穿設されたガイド孔に被検査側コネクタが挿入される際に、被検査側コネクタを側方にずらすような力が作用せず、もって被検査側コネクタが配設された被検査基板を側方にずらすような力が作用しない。
【００３１】
さらに、請求項１１記載の中継コネクターにあっては、押圧操作部材をベース部材に対してフローティングガイド側が接近分離するように揺動自在に配設するとともに、押圧操作部材のフローティングガイド側が接近する方向に弾性付勢するように押圧操作部材とベース部材の間に押圧バネを縮設しているので、その構造が簡単である。そして、押圧操作部材を押圧操作している間は開口状態となって被検査基板の挿入が許容され、押圧操作を解除すれば被検査側コネクタにピンブロックを押圧する押圧状態となって測定ができ、測定中に押圧操作を必要とせず、その操作が容易である。
【００３２】
そしてまた、請求項１２記載の中継コネクターにあっては、押圧操作部材のフローティングガイド側がベース部材から分離方向に揺動するのに伴って、フローティングガイドがベース部材から分離方向に揺動して開口状態となるので、押圧操作部材を押圧操作している間は、ベース部材からフローティングガイドが分離されていて、確実に被検査基板の挿入が許容される。
【００３３】
そしてさらに、請求項１３記載の中継コネクターにあっては、フローティングガイドに穿設されたガイド孔の深さを、被検査側コネクタの高さと一致するようにしているので、フローティングガイドのピンブロック側の面とガイド孔に嵌合挿入された被検査側コネクタのピンブロック側の面が同じ平面内となり、この面を基準としてピンブロックにプローブを配設することで、被検査側コネクタにプローブを適切な力で弾接させることができる。
【００３４】
そしてさらに、請求項１４記載の中継コネクターにあっては、フローティングガイドのピンブロック側の面に凹部を設け、ピンブロックのフローティングガイド側の面にこの凹部に嵌合する凸部を形成して、凹部と凸部の係合により、フローティングガイドとピンブロックを相対的に位置決めするようにしたので、フローティングガイドのガイド孔で位置決めされた被検査側コネクタに対して、ピンブロックに配設したプローブを適正な位置で当接させることができる。
【００３５】
そしてさらに、請求項１５記載の中継コネクターにあっては、押圧操作部材のフローティングガイド側の先端外側部を、面取り状の斜めの面に形成しているので、被検査基板に被検査側コネクタと近接して配設されたＣＣＤカメラ素子等の検査を行う際に、本発明の中継コネクターの押圧操作部材が当該検査の邪魔とならない。
【発明を実施するための最良の形態】
【００３６】
以下、本発明の第１実施例を図１ないし図１４を参照して説明する。図１は、本発明の中継コネクターの第１実施例の押圧状態の側面図である。図２は、図１の平面図である。図３は、図１の開口状態の側面図である。図４は、図１の分解斜視図である。図５は、上、下ピンブロックとフローティングガイドの分解斜視図である。図６は、ピンブロックの分解斜視図である。図７は、下ピンブロックと配線基板およびベース部材の分解斜視図である。図８は、本発明の中継コネクターで検査する被検査基板に設けられた被検査側コネクタの外観斜視図である。図９は、ピンブロックの縦断面図である。図１０は、配線基板に設けられる端子パターンを示す図である。図１１は、押圧操作部材とヒンジ部材およびベース部材の分解斜視図である。図１２は、図２のＡ−Ａ断面矢視図である。図１３は、ヒンジ部材に設けたリブで配線基板をベース部材に押さえる構造を示し、（ａ）は一部切り欠き側面図であり、（ｂ）は背面図である。図１４は、押圧操作部材の先端上部が面取り状の斜めの面に切り欠かれていることによる作用を説明する図である。
【００３７】
図１ないし図１４において、本発明の第１実施例の中継コネクターは、以下のように構成されている。まず、ベース部材１０にヒンジ部材１２がネジ１０ａにより固定され、このヒンジ部材１２に押圧操作部材１４が貫通配設された揺動軸１６により揺動自在に配設される。そして、この押圧操作部材１４の後ろ側とヒンジ部材１２の間に押圧バネ１８が縮設される。また、押圧操作部材１４の先端側に、揺動軸１６と平行に貫通配設された第２の揺動軸２０により押圧ブロック２２が揺動自在に配設される。そして、絶縁材からなるピンブロック２４に対して絶縁材からなるフローティングガイド２６が、押圧操作部材１４の先端側の略揺動方向で直線状に接近分離自在でしかも分離方向の距離が規制されて配設される。さらに、ピンブロック２４のフローティングガイド２６と反対側に配線基板２８がネジ２８ａにより固定され、この配線基板２８をベース部材１０側として、ピンブロック２４と配線基板２８がベース部材１０にネジ２４ａにより固定される。そして、フローティングガイド２６に係合受け部２６ｆが突設され、押圧操作部材１４に係合突起１４ａが突設されて、押圧操作部材１４の開口状態で係合受け部２６ｆに係合突起１４ａが係合するように形成される。そこで、押圧操作部材１４が開口状態にあっては、フローティングガイド２６がピンブロック２４から分離され、しかもピンブロック２４側に移動することが規制される。なお、押圧操作部材１４の開口状態にあっては、その後端側がヒンジ部材１２に当接して揺動が規制され、ヒンジ部材１２の被当接部分が規制部として作用している。
【００３８】
ピンブロック２４に対してフローティングガイド２６は、押圧操作部材１４の先端側が開口状態とこれを閉口させた押圧状態との揺動に応じて、図１と図３において図面の上下方向に直線的に移動自在とされる。そこで、ピンブロック２４に上下方向にリニアシャフト３０ａが植設され、フローティングガイド２６にこのリニアシャフト３０ａが軸方向に摺動自在となるように挿入されるリニア筒部材３０ｂが上下方向に配設され、これらリニアシャフト３０ａとリニア筒部材３０ｂとからなるリニアガイド３０により、この直線的な移動が実現される。また、ピンブロック２４とフローティングガイド２６に対して、上下方向に両端に膨大部を有するフローティングピン３２が貫通配設される。両端の膨大部の間の距離は、一端側に設けた調整ネジ３２ａの螺合により調整し得る。さらに、このフローティングピン３２に遊嵌されたフロートバネ３４がピンブロック２４とフローティングガイド２６の間に縮設されて、ピンブロック２４からフローティングガイド２６を分離する方向に弾性付勢している。もって、フローティングピン３２の調整により、フローティングガイド２６がピンブロック２４から分離し得る距離が任意に規制され、しかもフロートバネ３４の縮設された弾力により、押圧操作部材１４の開口状態にあっては、フローティングガイド２６がピンブロック２４から分離した状態とされる。
【００３９】
フローティングガイド２６には、被検査基板３６が搭載配設される基板搭載面２６ａが設けられ、この基板搭載面２６ａに被検査基板３６に配設された被検査側コネクタ３８を嵌合挿入し得るガイド孔２６ｂが貫通穿設される。このガイド孔２６ｂの内周壁に被検査側コネクタ３８の外側周壁が当接して、挿入された被検査側コネクタ３８の位置決めがなされるように形成される。そして、このガイド孔２６ｂの周辺の基板搭載面２６ａには搭載された被検査基板３６を位置決めするように位置規制する構成は何ら設けられておらず、十分に大きな平面を有する。また、基板搭載面２６ａの裏側のピンブロック２４側の面には、貫通穿設されたガイド孔２６ｂを略中心として凹部２６ｃが設けられる。この凹部２６ｃの底面と基板搭載面２６ａの厚さ、すなわちガイド孔２６ｂの深さは、被検査側コネクタ３８の高さと一致するように基板搭載面２６ａが切削等により調整されて形成される。なお、基板搭載面２６ａの両端裏側には、機械的強度を大きくするための補強リブ２６ｄが設けられている。
【００４０】
ピンブロック２４は、下ピンブロック４０と上ピンブロック４２がネジ４２ｂにより一体化され、上ピンブロック４２に上に向けて凸部４２ａが設けられ、フローティングガイド２６の凹部２６ｃに嵌合して、ピンブロック２４とフローティングガイド２６が相対的に位置決めされるように構成される。また、下ピンブロック４０と上ピンブロック４２に上下方向に貫通させて、プローブ孔４６が一列に多数穿設される。そして、下ピンブロック４０と上ピンブロック４２に上下方向に貫通して絶縁材からなる位置調整ブロック４８が挿入される挿入孔５０が穿設される。位置調整ブロック４８は、やはり下位置調整ブロック４８ａと上位置調整ブロック４８ｂからなり、適宜に一体化され、しかも上下方向に貫通してプローブ孔５２が一列に多数穿設される。位置調整ブロック４８は、挿入孔５０内で、プローブ孔５２の位置が、下ピンブロック４０と上ピンブロック４２に穿設されたプローブ孔４６との距離が適宜となるように調整されて、位置だしピン５６により固定される。なお、挿入孔５０内で、位置調整ブロック４８は、プローブ孔４６、５２の間の距離を調整する方向にのみ移動が可能であり、これと直交する方向には移動ができないように設定される。また、プローブ孔４６、５２は上端部に狭窄部が設けれていて、下側からプローブ５４が適宜に挿入できて上に抜け出ないように形成される。そして、プローブ孔４６、５２が穿設されるピッチは、図８に示す被検査側コネクタ３８の端子３８ａのピッチＰに合わせて穿設されることは勿論である。さらに、位置調整ブロック４８のプローブ孔５２と下ピンブロック４０と上ピンブロック４２のプローブ孔４６との距離が、被検査側コネクタ３８の端子３８ａの２列の間の距離ｄに対応するように適宜に調整されることは勿論である。しかも、プローブ孔４６、５２には、被検査側コネクタ３８の端子３８ａに応じてプローブ５４が下側から適宜な本数が適宜な位置で挿入される。
【００４１】
プローブ孔４６、５２にプローブ５４が挿入されたピンブロック２４に対して、下側から配線基板２８が配設され、下側からネジ２８ａにより固定されて一体化される。この配線基板２８の固定により、プローブ５４はプローブ孔４６、５２から抜け出ることがない。そして、この配線基板２８が固定されたピンブロック２４が、上方からネジ２４ａによりベース部材１０に固定される。なお、ベース部材１０は、図示しない検査治具等に予め固定ネジ１０ｂにより適宜に固定されても良い。そこで、図８に示す被検査側コネクタ３８の端子３８ａに対して、図９に示すごとく、プローブ孔４６、５２に挿入されたプローブ５４のプランジャーが当接できるように形成される。なお、図１０に示すごとく、配線基板２８に設けられた端子パターン２８ｂは、位置調整ブロック４８が移動してもプローブ５４のプランジャーが当接できるように移動方向に長く形成されている。
【００４２】
さらに、ヒンジ部材１２に揺動自在に配設された押圧操作部材１４は、開口状態となる揺動方向の動きが、ヒンジ部材１２により規制される。この開口状態となる揺動方向の動きが規制された状態で、前述の係合突起１４ａと係合受け部２６ｆが係合するように形成されている。そして、ヒンジ部材１２には、図１３に示すごときリブ１２ａが設けられ、配線基板２８を上からベース部材１０側に押し付けるように作用し、配線基板２８がベース部材１０から浮き上がるのを規制している。
【００４３】
押圧操作部材１４には、リニアガイド３０およびフローティングピン３２に臨んで、孔１４ｃと調整用孔１４ｄがそれぞれに穿設されている。また、フローティングガイド２６には、配線基板２８が固定されたピンブロック２４をベース部材１０に固定するネジ２４ａに臨んで、孔２６ｅが穿設されている。さらに、押圧操作部材１４の先端上部が、面取り状の斜めの面１４ｂに形成されている。本発明の中継コネクターの第１実施例の外形寸法は、高さ２７ｍｍで幅が２６ｍｍで長さが６０ｍｍであって、手に持って検査作業を行うことができる。
【００４４】
かかる構成において、押圧バネ１８の弾力に抗して押圧操作部材１４を揺動操作して開口状態とし、フローティングガイド２６の基板搭載面２６ａに被検査基板３６を配設して、被検査側コネクタ３８をガイド孔２６ｂに嵌合挿入させる。このガイド孔２６ｂへの嵌合挿入により、被検査側コネクタ３８の位置決めがなされる。ここで、被検査基板３６自体には何ら位置決めする力が作用しておらず、被検査基板３６に対して被検査側コネクタ３８の位置を側方にずらすような力が作用することがない。この押圧操作部材１４を開口状態に維持している間は、フローティングガイド２６の係合受け部２６ｆに押圧操作部材１４の係合突起１４ａが係合していて、フローティングガイド２６がピンブロック２４から分離した状態にあり、ピンブロック２４側に不用意に移動するようなことがない。よって、被検査側コネクタ３８をガイド孔２６ｂに嵌合挿入している作業の最中に誤ってフローティングガイド２６が下方に移動し、不適正な姿勢の被検査側コネクタ３８に対してプローブ５４が当接して被検査側コネクタ３８またはプローブ５４のいずれかを破損させる虞がない。そして、押圧操作部材１４を押圧バネ１８の弾力により先端側を閉じて押圧状態とすると、フローティングガイド２６はリニアガイド３０により直線的にピンブロック２４側に移動し、被検査側コネクタ３８の端子３８ａにプローブ５４のプランジャーが当接する。この際には、フローティングガイド２６の凹部２６ｃとピンブロック２４の凸部４２ａが嵌合することで、フローティングガイド２６とピンブロック２４が確実に相対的な位置合わせがなされる。もって、ピンブロック２４に対して被検査側コネクタ３８の位置決めがなされ、プローブ５４に端子３８ａの位置決めがなされる。なお、押圧バネ１８の押圧操作部材１４を押圧状態とする弾力が、フロートバネ３４のフローティングガイド２６をピンブロック２４から分離させる弾力よりも大きく設定されていることは勿論である。しかも、フローティングガイド２６のガイド孔２６ｂの深さが、被検査側コネクタ３８の高さと一致するように設定されているので、ガイド孔２６ｂに嵌合挿入された被検査側コネクタ３８のピンブロック２４側の面が凹部２６ｃの底面と同じ平面内となり、この凹部２６ｃの底面を基準として、プランジャーの突出高さが適正となるようにプローブ５４が配設されることで、適正な弾力でプローブ５４のプランジャーを被検査側コネクタ３８の端子３８ａに当接させることができる。
【００４５】
押圧操作部材１４は、揺動軸１６により開口状態と押圧状態に揺動自在に構成され、その構造は比較的に簡単である。しかも、押圧操作部材１４の先端側に第２の揺動軸２０により押圧ブロック２２を設けているので、この押圧ブロック２２によりフローティングガイド２６をピンブロック２４側に接近方向に向けて正しく押圧することができる。
【００４６】
ところで、種種の異なる寸法の被検査側コネクタ３８に本発明の中継コネクターを対応させるには、まずフローティングガイド２６のガイド孔２６ｂの大きさとその深さを、被検査側コネクタ３８に応じて適宜に調整設定する。ガイド孔２６ｂの深さの調整は、基板搭載面２６ａを適宜に切削するなどにより行うことができる。また、ピンブロック２４側においても、位置調整ブロック４８の固定位置を、挿入孔５０内で適正に設定することで、２列のプローブ孔４６、５２の間の距離を被検査側コネクタ３８の２列の端子３８ａの間の距離ｄに一致させる。これには、位置だしピン５６を挿入する孔の位置を適正に穿設することでなし得る。なお、プローブ孔４６、５２に対して、被検査側コネクタ３８の端子３８ａに臨むようにプローブ５４を挿入することは勿論である。このように、種種の異なる寸法の被検査側コネクタ３８に本発明の中継コネクターを対応させるための作業は、最終加工直前の各部材を予め準備しておけば比較的に簡単であり、各部材を新規に加工製作するのに比べて、迅速に対応することができる。
【００４７】
そして、フローティングガイド２６がピンブロック２４から分離方向に離れる距離は、フローティングピン３０により任意に調整できるが、使用によりフローティングガイド２６がピンブロック２４から分離方向に離れる距離が変化した場合には、押圧操作部材１４に穿設した調整用孔１４ｄから適宜に工具を挿入してフローティングピン３２の調整ネジ３２ａの螺合挿入状態を調整すれば良い。また、プローブ５４が破損して交換する場合には、押圧操作部材１４が付いたままの状態でヒンジ部材１２をベース部材１０から取り外し、フローティングガイド２６に穿設した孔２６ｅから工具を挿入してネジ２４ａをベース部材１０から取り外す。さらに、取り外したピンブロック２４を配線基板２８を上にして、ネジ２８ａを取り外してピンブロック２４から配線基板２８を取り除く。そして、破損して交換の必要なプローブ５４のみをプローブ孔４６、５２から取り出して交換すれば良い。
【００４８】
配線基板２８は、ピンブロック２４にネジ２８ａにより固定されているが、半田付けの熱等により曲がりを生じ、その後端側がベース部材１０から浮いた状態となる虞がある。そこで、ヒンジ部材１２に設けたリブ１２ａにより、配線基板２８をベース部材１０側に押さえ付けるように形成されている。また、被検査基板３６がカメラモジュールであると、被検査基板３６の他端側、すなわち被検査側コネクタ３８が設けられたのと反対側に、ＣＣＤカメラ素子５８が配設される。そして、被検査側コネクタ３８とＣＣＤカメラ素子５８が配設される位置が、図１４に示すごとく、比較的に接近しているものもある。そこで、押圧操作部材１４のフローティングガイド２６側の先端外側部を面取り状の斜めの面１４ｂに形成することで、ＣＣＤカメラ素子５８の上方の視界が大きく広く開け、視界内に何ら障害物なしに、このＣＣＤカメラ素子５８を検査するための検査装置６０に設けたレンズ６２と対向させることができる。
【００４９】
次に、本発明の第２実施例を図１５ないし図２１を参照して説明する。図１５は、本発明の中継コネクターの第２実施例の押圧状態の側面図である。図１６は、図１５の縦断面図である。図１７は、図１５の開口状態の側面図である。図１８は、図１７の縦断面図である。図１９は、図１５の分解斜視図である。図２０は、第２実施例で、開口状態で被検査基板を挿入した要部縦断面拡大図である。図２１は、第２実施例で、被検査基板が挿入されて押圧状態とした要部縦断面拡大図である。図１５ないし図２１において、図１ないし図１４に示す部材と同じまたは均等なものには同じ符号を付けて重複する説明を省略する。
【００５０】
図１５ないし図２１において、本発明の第２実施例の中継コネクターは、以下のように構成されている。絶縁材からなるベース部材７０に対して、ベース部材７０に植設されたリニアガイド７２、７２により、絶縁材からなるフローティングガイド７４がベース部材７０の先端側に設けた基板搭載面７０ａに対して垂直方向に当接分離自在に配設される。また、配線基盤２８を挟んで絶縁材からなる押圧操作部材７６の先端側にピンブロック２４がビス等により配設固定され、後端側に絶縁材からなるヒンジブロック７８がビス等により配設固定される。そして、ベース部材７０に設けた第１揺動軸８０をヒンジブロック７８に貫通させて押圧操作部材７６が揺動自在に配設される。ここで、ピンブロック２４は、ベース部材７０に配設したフローティングガイド７４に臨む位置となるようにされる。しかも、ヒンジブロック７８とベース部材７０との間に押圧バネ８２、８２が縮設されていて、ピンブロック２４がフローティングガイド７４に当接する方向に弾性付勢されている。さらに、ベース部材７０に、第１揺動軸８０と平行に配設された第２揺動軸８４によりレバー部材８６が揺動自在に配設されている。このレバー部材８６は、一端部がフローティングガイド７４の係合凹部７４ｃに係合され、他端部がピンブロック２４をフローティングガイド７４から分離方向に揺動させる押圧操作部材７６の揺動により、ヒンジブロック７８に押圧されてレバー部材８６が揺動される。そしてさらに、レバー部材８６とベース部材７０の間に、レバー押圧バネ８８が縮設され、フローティングガイド７４がベース部材７０に当接する方向に弾性付勢力されている。なお、押圧操作部材部材７６のピンブロック２４が配設された側の先端外側部に面取り状の斜めの面７６ａが設けられている。
【００５１】
ベース部材７０の基板搭載面７０ａには、被検査基板３６の挿入側の先端部分の形状を備えた基板位置決め凹部７０ｂが縁部から設けられている。この基板位置決め凹部７０ｂの縁部側は幅がテーパー状に拡大されていて、被検査基板３６の挿入が容易になされる。そして、この基板位置決め凹部７０ｂにより挿入寸法と側方へのずれが規制されてベース部材７０に対して位置決めされた被検査基板３６に上側に向けて配設された被検査側コネクタ３８に臨んで、フローティングガイド７４に被検査側コネクタ３８が嵌合挿入し得るガイド孔７４ａが穿設されている。そして、このガイド孔７４ａを略中心として、フローティングガイド７４のピンブロック２４側の面に凹部７４ｂが設けられている。ここで、ガイド孔７４ａの深さが、被検査側コネクタ３８の高さと一致するように形成される。ピンブロック２４の構造は、第１実施例と同様であるが、プローブ５４、５４…がフローティングガイド７４側に向けて突出するように押圧操作部材７６に配設されている点で、第１実施例と相違する。なお、ピンブロック２４に、フローティングガイド７６に設けた凹部７４ｂに嵌合する凸部４２ａが設けられていることは、第１実施例と同様である。
【００５２】
かかる構成からなる第２実施例において、押圧操作部材７６の後端側のヒンジブロック７８側を押圧バネ８２、８２の弾力に抗して押圧すると、押圧操作部材７６が揺動し、先端側のピンブロック２４がベース部材７０から分離方向に移動される。これに伴い、レバー部材８６の他端部がヒンジブロック７８に押圧されてレバー押圧バネ８８の弾力に抗して揺動され、レバー部材８６の一端部が係合するフローティングガイド７４をベース部材７０から分離方向に移動させ、もって開口状態となる。そこで、図２０のごとく、ベース部材７０とフローティングガイド７４の間に被検査基板３６を挿入して、基板位置決め凹部７０ｂによりその位置決めがなされる。ここで、被検査側コネクタ３８はフローティングガイド７４に向けて配設された状態である。かかる状態で、押圧操作部材７６の押圧を解除すると、押圧バネ８２、８２の弾力により押圧操作部材７６が揺動して先端側のピンブロック２４がフローティングガイド７４に当接し、これと同時に、レバー押圧バネ８８の弾力によりレバー部材８６も揺動してフローティングガイド７４が移動してベース部材７０に当接させられる。そこで、被検査基板３６に配設された被検査側コネクタ３８がフローティングガイド７４のガイド孔７４ａに嵌合挿入され、さらに被検査側コネクタ３８の端子３８ａ、３８ａ…に、ピンブロック２４のプローブ５４、５４…が当接して電気的接続がなされる。
【００５３】
この第２実施例にあっては、ベース部材７０を下側に配設するならば、被検査側コネクタ３８を被検査基板３６の上側に配設した状態で検査することができる。そして、ベース部材７０の基板搭載面７０ａに設けた基板位置決め凹部７０ｂにより被検査基板３６の挿入寸法と側方へのずれが規制されて、ベース部材７０に対して被検査基板３６の位置決めがなされる。そして、基板搭載面７０ａに対してリニアガイド７２、７２により垂直方向に当接分離自在にフローティングガイド７４が配設されているので、被検査基板３６に配設された被検査側コネクタ３８に対してフローティングガイド７４のガイド孔７４ａが相対的に位置決めされることとなり、フローティングガイド７４の接近および当接によりそのガイド孔７４ａに被検査側コネクタ３８が正確に嵌合挿入される。ここで、フローティングガイド７４が基板搭載面７０ａに対して垂直方向に接近分離するので、ガイド孔７４ａに被検査側コネクタ３８が嵌合挿入される際に、被検査側コネクタ３８を側方にずらすような力が作用することがなく、被検査基板３６に対して相対的に被検査側コネクタ３８を側方にずらすような力が作用しない。さらに、押圧操作部材７６がベース部材７０に対して揺動自在に構成されていて、その構造が簡単である。しかも、被検査基板３６を挿入して、押圧操作部材７６の押圧を解除すると押圧バネ８２、８２の弾力によって被検査側コネクタ３８にピンブロック２４を押圧した押圧状態となり、測定中に押圧操作を必要とせず、その操作が容易である。また、押圧操作部材７６を押圧して揺動させると、この揺動に伴い、フローティングガイド７４がベース部材７０から分離する方向に連動して移動するので、被検査基板３６の挿入が容易である。しかも、押圧操作部材７６を押圧操作している間は、レバー部材８６の作用により、フローティングガイド７４がベース部材７０側に移動するのを確実に規制することができる。
【００５４】
なお、第２実施例にあっては、押圧操作部材７６を押圧操作している開口状態で、レバー部材８６によりフローティングガイド７４がベース部材７０側に移動しないように規制しているが、これに限られず、フローティングガイド７４をベース部材７０から分離方向に弾性付勢するバネを、フローティングガイド７４とベース部材７０の間に縮設して、押圧操作部材７６が開口状態となると、このバネの弾力でフローティングガイド７４がベース部材７０から分離方向に移動するようにして、フローティングガイド７４とベース部材７０の間に被検査基板３６の挿入を許容するようにしても良い。
【図面の簡単な説明】
【００５５】
【図１】本発明の中継コネクターの第１実施例の押圧状態の側面図である。
【図２】図１の平面図である。
【図３】図１の開口状態の側面図である。
【図４】図１の分解斜視図である。
【図５】上、下ピンブロックとフローティングガイドの分解斜視図である。
【図６】ピンブロックの分解斜視図である。
【図７】下ピンブロックと配線基板およびベース部材の分解斜視図である。
【図８】本発明の中継コネクターで検査する被検査基板に設けられた被検査側コネクターの外観斜視図である。
【図９】ピンブロックの縦断面図である。
【図１０】配線基板に設けられる端子パターンを示す図である。
【図１１】押圧操作部材とヒンジ部材およびベース部材の分解斜視図である。
【図１２】図２のＡ−Ａ断面矢視図である。
【図１３】ヒンジ部材に設けたリブで配線基板をベース部材に押さえる構造を示し、（ａ）は一部切り欠き側面図であり、（ｂ）は背面図である。
【図１４】押圧操作部材の先端上部が面取り状の斜めの面に切り欠かれていることによる作用を説明する図である。
【図１５】本発明の中継コネクターの第２実施例の押圧状態の側面図である。
【図１６】図１５の縦断面図である。
【図１７】図１５の開口状態の側面図である。
【図１８】図１７の縦断面図である。
【図１９】図１５の分解斜視図である。
【図２０】第２実施例で、開口状態で被検査基板を挿入した要部縦断面拡大図である。
【図２１】第２実施例で、被検査基板が挿入されて押圧状態とした要部縦断面拡大図である。
【符号の説明】
【００５６】
１０、７０  ベース部材
１２  ヒンジ部材
１２ａ  リブ
１４、７６  押圧操作部材
１４ａ  係合突起
１４ｂ  斜めの面
１４ｄ  調整用孔
１６  揺動軸
１８、８２  押圧バネ
２０  第２の揺動軸
２２  押圧ブロック
２４  ピンブロック
２６、７４  フローティングガイド
２６ａ、７０ａ  基板搭載面
２６ｂ、７４ａ  ガイド孔
２６ｃ、７４ｂ  凹部
２６ｆ  係合受け部
２８  配線基板
２８ａ  ネジ
２８ｂ  端子パターン
３０、７２  リニアガイド
３０ａ  リニアシャフト
３０ｂ  リニア筒部材
３２  フローティングピン
３２ａ  調整ネジ
３４  フロートバネ
３６  被検査基板
３８  被検査側コネクタ
３８ａ  端子
４０  下ピンブロック
４２  上ピンブロック
４２ａ  凸部
４６、５２  プローブ孔
４８ａ  下位置調整ブロック
４８ｂ  上位置調整ブロック
５０  挿入孔
５４  プローブ
５６  位置だしピン
５８  ＣＣＤカメラ素子
６０  検査装置
６２  レンズ
７０ｂ  基板位置決め凹部
７４ｃ  係合凹部
７８  ヒンジブロック
８０  第１揺動軸
８４  第２揺動軸
８６  レバー部材
８８  レバー押圧バネ
【図１】
2008140770.tif 000003
【図２】
2008140770.tif 000004
【図３】
2008140770.tif 000005
【図４】
2008140770.tif 000006
【図５】
2008140770.tif 000007
【図６】
2008140770.tif 000008
【図７】
2008140770.tif 000009
【図８】
2008140770.tif 000010
【図９】
2008140770.tif 000011
【図１０】
2008140770.tif 000012
【図１１】
2008140770.tif 000013
【図１２】
2008140770.tif 000014
【図１３】
2008140770.tif 000015
【図１４】
2008140770.tif 000016
【図１５】
2008140770.tif 000017
【図１６】
2008140770.tif 000018
【図１７】
2008140770.tif 000019
【図１８】
2008140770.tif 000020
【図１９】
2008140770.tif 000021
【図２０】
2008140770.tif 000022
【図２１】
2008140770.tif 000023